(57)【要約】【課題】  溢水機構の異物詰りを防止する洗濯機を提供する。【解決手段】  外箱１内に収容された水槽４と、この水槽４内に収容され、被洗濯物の洗濯、すすぎ、脱水及び乾燥に供する洗濯槽７と、水槽４の上部を覆うように取り付けられ、水槽４の上部を覆う水槽カバー１７と、外箱１外から吸気した空気を加熱し、水槽カバー１７を介して水槽４内に吹き込む温風ユニットと、水槽４内から排気するための排気口たるスリット１８ａを備え、水槽４内の水位が所定水位以上となった場合に洗濯水を排出するための溢水機構とを具備し、この溢水機構は、水槽４に形成された溢水口２７を有する溢水部２５と、この溢水部２５に溢水口２７から流入した水を機外に排出する溢水ホース２９と、前記溢水口２７に設けられた溢水口フィルタ２６とから構成されている。【選択図】  図３
2009225871.tif 000002
【特許請求の範囲】
【請求項１】
外箱内に収容された水槽と、前記水槽内に収容され、被洗濯物の洗濯、すすぎ、脱水及
び乾燥に供する洗濯槽と、前記水槽の上部を覆う水槽カバーと、前記外箱外から吸気した
空気を加熱し、前記水槽カバーを介して前記水槽内に吹き込む温風供給手段と、前記水槽
内から排気するための排気口を備え、前記水槽内の水位が所定水位以上となった場合に洗
濯水を排出するための溢水機構とを具備し、
前記溢水機構は、前記水槽に形成された溢水口を有する溢水部と、この溢水部に溢水口か
ら流入した水を機外に排出する溢水経路と、前記溢水口に設けられたフィルタ体とから構
成されていることを特徴とする洗濯機。
【請求項２】
前記水槽カバーは開閉可能な内蓋を有し、前記排気口は前記水槽カバー又は前記内蓋に
形成され、前記排気口には排気フィルタが配設されていることを特徴とする請求項１に記
載の洗濯機。
【請求項３】
前記フィルタ体は、前記水槽カバーと前記水槽との間に挟持して固定したことを特徴とす
る請求項１に記載の洗濯機。
【請求項４】
前記フィルタ体は、前記水槽カバーと嵌合する段部を有したことを特徴とする請求項３
に記載の洗濯機。
【請求項５】
前記フィルタ体に形成した係止手段によりフィルタ体を前記水槽に係止することを特徴
とする請求項１又は２に記載の洗濯機。
【請求項６】
前記フィルタ体は、前記水槽に前記水槽カバーを組み付けた状態にて前記溢水口に対し
着脱可能であることを特徴とする請求項１に記載の洗濯機。
【請求項７】
前記水槽カバーに挿入口を形成し、この挿入口を介して前記フィルタ体を前記溢水口に
対し着脱することを特徴とする請求項６に記載の洗濯機。 
【発明の詳細な説明】
【技術分野】
【０００１】
本発明は、溢水機能を備えた洗濯機に関する。
【背景技術】
【０００２】
従来、洗濯機には、水位検知手段や給水弁等の給水制御装置の故障等により給水された
水が水槽の許容量を越えて床に溢れることを防止するために、洗い時の高水位以上の高さ
となる位置において水槽に溢水部を形成するとともに、その溢水部と排水弁ケースや排水
ホース等とをつなぐ溢水経路を形成し、溢れた水を機外に排水していた。
【０００３】
この場合、洗濯運転が長期間に亘り繰り返されるうちに溢水部等の溢水系統にリント等
が付着堆積し、延いては溢水系統が詰まる状態に発展して、本来の溢水機能を果たせなく
なる虞があった。
【０００４】
そこで、溢水部に給水することにより溢水部から異物やリントを除去し、溢水部や溢水
経路が詰まるのを防止する構成が提案されている。（例えば、特許文献１参照。）。
【特許文献１】特開２００４−２３６８００号（第２図）
【発明の開示】
【発明が解決しようとする課題】
【０００５】
しかしながら、溢水機能を利用した注水すすぎ行程を実行する場合、乾燥行程の実行に
より発生したリントや大きな異物などが溢水口に流出する可能性があり、この異物が大き
い場合には溢水口、溢水ホースといった溢水経路に詰まり、上述した溢水部への給水だけ
では解決困難な事態に陥るおそれがある。
【０００６】
本発明は上述の事情に鑑みてなされたものであり、従ってその目的は、水槽内より溢水
経路内に異物やリント等が流出することを防止する洗濯機を提供することにある。
【課題を解決するための手段】
【０００７】
上記目的を達成するために、本発明の請求項１記載の洗濯機は、外箱内に収容された水
槽と、前記水槽内に収容され、被洗濯物の洗濯、すすぎ、脱水及び乾燥に供する洗濯槽と
、前記水槽の上部を覆う水槽カバーと、前記外箱外から吸気した空気を加熱し、前記水槽
カバーを介して前記水槽内に吹き込む温風供給手段と、前記水槽内から排気するための排
気口を備え、前記水槽内の水位が所定水位以上となった場合に洗濯水を排出するための溢
水機構とを具備し、前記溢水機構は、前記水槽に形成された溢水口を有する溢水部と、こ
の溢水部に溢水口から流入した水を機外に排出する溢水経路と、前記溢水口に設けられた
フィルタ体とから構成されていることを主な特徴とする。
【発明の効果】
【０００８】
本発明によれば、溢水機構に大きな異物やリント等が流入することを防止できる。
【発明を実施するための最良の形態】
【０００９】
（第１の実施例）
以下、本発明を乾燥機能付洗濯機に適応した第１の実施例について、図１乃至図６を参
照して説明する。
【００１０】
そのうち、まず、図１乃至図２を参照して説明するに、図１は上記洗濯機の全体構成を
示す縦断側面図で、この図に示すように洗濯機本体は、金属製の外箱１と、該外箱１の上
部開口に装着したトップカバー２と、この外箱１の背面開口を覆う背面板３とにより構成
されている。外箱１内部には、水槽４が外箱１上端四隅から吊り下げた四本（二本のみ図
示）の吊り棒５にばね６を介して弾性支持されている。また、該水槽４内には洗濯槽７が
収納されており、該洗濯槽７は水槽４外底面に取付けられたＤＣブラシレスモータ等から
構成される駆動装置８と回転軸９を介して回転可能に軸支されている。この洗濯槽７の内
底部には攪拌体１０が設けられており、図示しないクラッチ機構を制御することにより洗
濯槽７と攪拌体１０が選択的に回転駆動されるようになっている。
【００１１】
前記トップカバー２は、前記洗濯槽７への洗濯物の出し入れが可能な開口部２ａを有す
るとともに、例えば二つ折り構造の洗濯蓋１１が開閉可能に取付けられている。一方、ト
ップカバー２の前部には、使用者が洗濯機の運転操作をするとともに動作状態を確認する
ための操作キー及び表示部を備えた表示パネル１２が設けられている。また、トップカバ
ー２の後部には、２つの電磁弁１３ａ，１３ｂを一体的に構成して成る給水弁１３、注水
ケース１４、詳細は省略するがヒータやファン等から構成される温風供給手段としての温
風ユニット１５が配設されていて、着脱自在なバックカバー１６によってトップカバー２
の後面開口部全体が覆われている。
【００１２】
また、水槽４の上部には水槽４の上面開口を覆うように水槽カバー１７が配設され、該
水槽カバー１７にはその中央の開口部分を開閉する内蓋１８が開閉可能に設けられている
。該内蓋１８は、その略中央に例えば複数のスリット１８ａを形成しており、このスリッ
ト１８ａは排気口として機能する。また、このスリット１８ａには、これを覆うように排
気フィルタ１９を着脱可能に設けている。さらに、水槽カバー１７には温風ユニット１５
と連結した蛇腹状の送風ダクト２０と、注水ケース１４と連結した注水ホース２１が夫々
接続され、クリップ等により固定されている。
【００１３】
なお、給水弁１３は、連結ホース２２、注水ケース１４及び注水ホース２１を介して洗
濯槽７に送水する洗濯槽給水用の電磁弁１３ａと、連結ホース２３、注水ケース１４及び
注水ホース２１を介して洗濯槽７に送水するソフタ給水用の電磁弁１３ｂとから構成され
ている。この給水弁１３は、バックカバー１６の上面外方を臨む位置に設けられた給水口
２４から外部水源として水道水を取り入れる。
【００１４】
そして、図２は背面板３を取り外した状態の洗濯機を背面側から見た斜視図であり、こ
の図に示すように、水槽４上部には、溢水部２５が外箱１側に膨出して形成されている。
この溢水部２５は、通常の洗い水位（高水位）より上位の位置に開口した溢水口２７と容
器状に形成された溢水受部２８から構成されている。そして、溢水経路たる溢水ホース２
９の一端は、溢水部２５の筒状部３０に接続されている。これら溢水部２５と溢水ホース
２９とから溢水機構が構成されている。この溢水ホース２９の他端は、水槽４底部に設け
られ排水弁モータ３１により開閉される排水弁３２の下流の排水ホース３３（または排水
弁ケースでも可）の途中に接続されている。したがって、水槽４から溢水部２５に流れ出
た洗濯水は排水弁３２の開閉に関係なく排水ホース３３から機外へ排出される。そして、
上記排水弁モータ３１は、排水弁３２の制御と図示しないクラッチ機構の制御を連動して
行っており、排水弁３２をＯＮ（弁開）にすると、クラッチ機構は攪拌体１０と共に洗濯
槽７が回転する状態に切換え、排水弁３２をＯＦＦ（弁閉）にすると、攪拌体１０のみが
回転する状態に切換える働きを担っている。
【００１５】
次に、図３乃至図６を示して溢水部２５について詳細に説明する。図３は、水槽４の溢
水部２５を内側から示す斜視図であり、図４は図３に示される水槽カバー１７を上面から
示した図面である。また、図５は、溢水口フィルタ２６のみを示す斜視図であり、図６は
、図４のＡ−Ａ’線に沿って矢視方向を示す縦断面図である。
【００１６】
図３に示すように、溢水部２５への入口である溢水口２７には、フィルタ体たる溢水口
フィルタ２６が配設されている。この溢水口フィルタ２６は、樹脂製であり、横長矩形状
の多数の通水孔３４が３列に分かれて形成されている。また、この溢水口フィルタ２６に
は、外箱１側に、上下方向に係止手段たる２本のリブ３７、３７が形成されており、その
下端は溢水口フィルタの下端３５よりも下方まで伸びている。そして、このリブ３７、３
７は、溢水口フィルタ２６の通水孔３４から外箱１側方向に幅広に突出して形成されてい
る。一方、水槽４側の下端には、リブ３７、３７よりも左右両端側に位置して係止手段た
る係止片３８、３８が形成されている。そして、溢水口フィルタ２６は、溢水口２７の下
端２７ａ上に溢水口フィルタ３６の下端３５が当接し、リブ３７、３７、及び係止片３８
、３８の４箇所にて係止されることにより、溢水口フィルタ２６の水平方向への動きが規
制されている。
【００１７】
一方、溢水口２７の上端には、リブ状に外箱１側が高く形成された段部３６が設けられ
ている。図６に示すように、この段部３６は、水槽カバー１７を水槽４に嵌め込んだ状態
で水槽カバー１７の裏面に形成された凸部３９と嵌合した状態で押され、これにより溢水
口フィルタ２６の上端が固定される。つまり、水槽４及び水槽カバー１７間に挟持される
。なお、溢水口フィルタ２６の左右両端は溢水口２７との間に僅かに隙間が形成されてい
る。
【００１８】
この様に構成された乾燥機能付洗濯機の作用につき説明する。
【００１９】
まず、表示パネル１２を操作して運転コース等を設定した後、スタートボタンを押すと
後述する「洗い」・「すすぎ」・「脱水」の各行程を順次実行し、最終脱水後に改めて乾
燥時間を設定し、スタートボタンを押すことにより「乾燥」行程を実行する。これらの各
行程では、必要に応じて、運転時間等を表示パネル１２の操作により変更可能である。
【００２０】
「洗い」行程は、通常水道水を使用するようになっており、洗濯槽７内に洗濯物を投入
した後に、攪拌体１０を回転駆動させ、この際に該攪拌体１０にかかる負荷により洗濯物
の重さ（容量）を検知する。その後、その洗濯物の容量に対応した水量及び洗剤量が表示
パネル１２に表示されると共に、水道水が電磁弁１３ａを介して注水ケース１４内の洗剤
と共に注水ホース２１を介して洗濯槽７内に供給され、図示しない水位センサーにより洗
濯物の容量に応じた所定の水量が貯水される。そして、駆動装置８により攪拌体１０を回
転駆動した結果生成した水流により洗濯物が撹拌され、洗濯物の汚れを落とす洗い行程が
実行される。
【００２１】
この洗い行程が終了すると、排水弁モータ３１の駆動制御により排水弁３２を開いて洗
濯液を排水する排水行程を行った後、洗濯槽７と攪拌体１０とを同時に高速回転させて脱
水行程が行なわれる。これにより洗剤分を含んだ洗濯液の大半が洗濯物から搾り出され、
排水ホース３３を介して排水され、以ってその次の「すすぎ」行程を効率良く短時間に済
ませることができるようにしている。この「すすぎ」行程は複数回行なわれ（例えば２回
）、水を貯めずにシャワー状に給水する、「シャワーすすぎ」と、洗濯槽７に貯水して攪
拌体１０を回転させながら行う、「ためすすぎ」とが実行可能となっている。従って、ま
ず行程では攪拌体１０と共に洗濯槽７を低速回転させながら、排水弁３２を開けた状態に
て洗濯槽７内の洗濯物に向けてシャワー状に給水するシャワー給水行程が行われたその後
脱水行程が行われる。
【００２２】
次に、排水弁３２が閉じられ、洗濯槽７に水を貯める給水行程が行なわれる。給水行程
においては、予め柔軟仕上げ剤を注水ケース１４内のソフタケース（図示せず）に準備し
ておくことにより、柔軟仕上げ剤の自動投入が可能である。即ち、電磁弁１３ｂがＯＮし
て開くと、連結ホース２３を介して水道水が注水ケース１４内のソフタケースに給水され
、柔軟仕上げ剤と共に注水ホース２１を介して洗濯槽７に供給できるようにしている。
【００２３】
この状態で攪拌体１０を回転駆動させ、「注水すすぎ行程」が行われる。この注水すす
ぎ行程は水槽４内に給水しながら撹拌体１０による撹拌動作を実行しつつ、例えば、水槽
４内の水位が高水位に達した後、約９０秒間給水動作を継続するものである。これにより
、溢水口２７まで水位が達し、溢水経路を介して溢水させながらの効果的なすすぎ行程が
実行できる。その後、排水行程が終了すると、次には「最終脱水」行程である脱水行程に
おいて、洗濯槽７を高速回転させることにより行われ、以って洗濯物は遠心脱水される。
【００２４】
一方、「乾燥」行程は、攪拌体１０と共に洗濯槽７を回転させて行う「槽回転」運転と
攪拌体１０のみを回転させて行う「攪拌体回転」運転の２種類の行程があり、これらの３
０分毎の繰り返しにより構成され、「乾燥」行程の運転時間はタイマーにより、０．５（
３０分）、１．０、２．０、４．０時間に夫々設定することができる。なお、この「乾燥
」行程においては、常に排水弁３２はＯＮ状態に維持され開放している。
【００２５】
以下、「乾燥」行程を実行する場合につき述べると、表示パネル１２の操作により「乾
燥」行程が選択されスタートされると、図１に示すように温風ユニット１５により温風が
生成され、送風ダクト２０を介して水槽４内に温風が供給され始める。送風ダクト２０か
ら水槽４内に吹き込まれた温風は脱水後の洗濯物から水分を奪い、排気フィルタ１９を介
して図１に示す矢印のように水槽４外に至り、最終的には外箱１外に排出される。この「
乾燥」行程において洗濯物よりリントが発生するが、このリントは排気フィルタ１９によ
り捕獲される。
【００２６】
このように上記実施例によれば、以下の効果を奏する。
【００２７】
溢水機構は、水槽４上方に形成された溢水口２７を有した溢水部２５と、この溢水口２
７に流入した水を機外に排出する溢水ホース２９と、溢水口２７に溢水口フィルタ２６を
設ける構成としたので、異物やリントが水槽４から流出することを防止することができる
。特に、溢水機能を利用した注水すすぎ時には、水位が溢水口２７まで達することになる
が、たとえ、排気フィルタ１９等の温風経路中に堆積したリントの塊が何らかの原因で水
槽４内に落ちた場合でも、そのリントの塊は溢水口フィルタ２６に妨げられるので、溢水
部２５内や溢水ホース２９に至って詰まることが防止できる。
【００２８】
水槽カバー１７は開閉可能な内蓋１８を有し、水槽カバー１７又は内蓋１８に形成され
た排気口たるスリット１８ａに排気フィルタ１９が配設されているので、排気フィルタ１
９に堆積したリントの塊が水槽４内に落ちた場合にも、そのリントの塊は溢水口フィルタ
２６に妨げられるので、このリントの塊が溢水部２５や溢水ホース２９に至って詰まるこ
とを防止できる。
【００２９】
溢水口フィルタ２６は水槽カバー１７と水槽４との間に挟持して固定する構成としたの
で、簡易な構成にて溢水口フィルタ２６を取り付けることができる。特に、溢水口フィル
タ２６の上部に形成した段部３６と水槽カバー１７の裏面に形成した凸部３９が嵌合する
構成としたので、簡易な構成で、かつ、より確実に溢水口フィルタ２６を固定することが
でき、溢水口フィルタ２６ががたつくことがなくなり、延いては脱水時の異常音や騒音の
防止ができる。
【００３０】
溢水口フィルタ２６の下端に係止手段たるリブ３７、３７、又は係止片３８、３８を形
成し、このリブ３７、３７又は係止片３８、３８により溢水口フィルタ２６を水槽４に係
止する構成としたので、溢水口フィルタ２６の水槽４への固定が確実に行い得て、一層、
溢水口フィルタ２６ががたつくことがなくなる。さらには、ネジ等を使用せずに溢水口フ
ィルタ２６を水槽４に組み付けることができるので、洗濯機の組立性が向上する。
【００３１】
（第２の実施例）
次に、第２の実施例について図７乃至９を参照して以下に説明する。
【００３２】
第２の実施例は、第１の実施例とは、水槽カバー１７及び溢水口フィルタ２６の構造に
おいて異なる。以下、上記実施例と同一部分には、同一符号を付して説明を省略し、異な
る点のみ説明する。
【００３３】
図７は、水槽カバー１７を上面から示した図面である。また、図８は、溢水口フィルタ
２６のみを示す斜視図であり、図９は、図７のＢ−Ｂ’線に沿って矢視方向を示す縦断面
図である。
【００３４】
水槽カバー１７には、溢水口２７の上方に位置して挿入口たるスリット４０が形成され
ている。このスリット４０は、円弧形状の溢水口２７の水平断面形状に合わせた形状をし
ており、このスリット４０の左右両端は係止片３８、３８に対応させて洗濯槽７の半径方
向の厚みを大きく切り欠いてある。一方、溢水口フィルタ２６の下方、左右両端には２つ
の係止片３８、３８のみが配設されている。このような構成により、溢水口フィルタ２６
は、スリット４０から水槽４内に挿入できるのである。
【００３５】
そして、溢水口フィルタ２６の上端には、矩形状でスリット４０よりも水平面積の大きい
係止部４１が設けられており、このスリット４０に溢水口フィルタ２６を挿入した状態で
は、係止部４１が水槽カバー１７のスリット４０周縁に係止されることで、溢水口フィル
タ２６の水槽４内への脱落を防止している。一方、上記した２つの係止片３８、３８が溢
水口２７の下端２７ａに係止されるため、溢水口フィルタ２６は水槽４に対して固定され
、全体として、水槽４及び水槽カバー１７に対し固定される。また、この係止部４１の中
央上部には、摘み４２が形成されており、使用者はこの摘み４２を持って溢水口フィルタ
２６を抜き差しすることにより、溢水口フィルタ２６を水槽カバー１７から容易に着脱す
ることができるようになっている。
【００３６】
上記実施例によれば、以下の効果を奏する。
水槽カバー１７を水槽４に組み付けた状態にて溢水口フィルタ２６を着脱可能な構成と
したので、使用者が溢水口フィルタ２６を取り外して清掃し、再び取り付けることができ
る。
【００３７】
さらに、水槽カバー１７にスリット４０を形成し、このスリット４０に溢水口フィルタ
２６を挿入して取り付ける構成としたので、使用者は洗濯蓋１１を開けた状態にて容易に
溢水口フィルタ２６を取り外すことができ、溢水口フィルタ２６を清掃し易くなる。さら
に、製品の修理担当者などが溢水口フィルタ２６を修理のために交換する場合にも、水槽
４から水槽カバー１７を取り外す作業を行うことなしに溢水口フィルタ２６を取り外すこ
とができる。
【００３８】
なお、本発明は上記し且つ図面に示した実施例に限定されず、排気フィルタ１９は内蓋
１８ではなく、水槽カバー１７の周縁部に形成した排気口に配設する構成としてもよく、
実施に際して本発明の要旨を逸脱しない範囲で種々変更して実施可能である。
【図面の簡単な説明】
【００３９】
【図１】本発明の第１の実施例を示す洗濯機全体概略構成を示す縦断側面図
【図２】洗濯機の背面側の斜視図
【図３】水槽の溢水口を内側から示す斜視図
【図４】水槽カバーの上面図
【図５】溢水口フィルタを示す斜視図
【図６】図４のＡ−Ａ’線に沿って矢視方向を示す縦断面図
【図７】本発明の第２の実施例を示す図４相当図
【図８】本発明の第２の実施例を示す図５相当図
【図９】図７のＢ−Ｂ’線に沿って矢視方向を示す縦断面図
【符号の説明】
【００４０】
４  水槽
７  洗濯槽
１０  攪拌体
１３  給水弁
１３ａ，１３ｂ  電磁弁
１４  注水ケース
１７  水槽カバー
１９  排気フィルタ
２５  溢水部
２６  溢水口フィルタ
２７  溢水口
２８  溢水受部
２９  溢水ホース
３２  排水弁
３３  排水ホース
３４  通水孔
３６  段部
３７，３７  リブ
３８，３８  係止片
３９  凸部
４０  スリット
４１  係止部
【図１】
2009225871.tif 000003
【図２】
2009225871.tif 000004
【図３】
2009225871.tif 000005
【図４】
2009225871.tif 000006
【図５】
2009225871.tif 000007
【図６】
2009225871.tif 000008
【図７】
2009225871.tif 000009
【図８】
2009225871.tif 000010
【図９】
2009225871.tif 000011